Podtech/llm-jp-corpus-v4-ja_patent huggingface dataset:
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
同期整流器であって、
半導体ダイ上のトランジスタと、
前記トランジスタのパッケージングに導入される寄生ドレイン・インダクタンス及び寄生ソース・インダクタンスを補償するように構成された補償インダクタンスと、
を含み、
固定されたインダクタンスが半導体ダイ上のトレース又はＰＣＢトレースの少なくとも１つにより形成される、同期整流器。
【請求項２】
請求項１に記載の同期整流器であって、
前記補償インダクタンスが前記同期整流器のパッケージングの外にある、同期整流器。
【請求項３】
請求項１に記載の同期整流器であって、
前記トランジスタが、金属酸化半導体電界効果トランジスタ（ＭＯＳＦＥＴ）である、同期整流器。
【請求項４】
請求項１に記載の同期整流器であって、
前記補償インダクタンスが前記同期整流器に関連して設置され、この位置が前記補償インダクタンスに影響を与える、同期整流器。
【請求項５】
請求項１に記載の同期整流器であって、
前記補償インダクタンスが、矩形、円形、正方形、三角形、調和形状、並びに不調和（incongruous）形状のうち少なくとも１つの形状により構成され、この形状が前記補償インダクタンスに影響を与える、同期整流器。
【請求項６】
請求項１に記載の同期整流器であって、
前記補償インダクタンスが、長さ及び幅の少なくとも一方が構成されるような寸法により構成され、この寸法が前記補償インダクタンスに影響を与える、同期整流器。
【請求項７】
請求項３に記載の同期整流器であって、
前記寄生パッケージ・インダクタンスがソース・インダクタンスとドレイン・インダクタンスを含む、同期整流器。
【請求項８】
請求項７に記載の同期整流器であって、前記補償インダクタンスが前記同期整流器のパッケージングの外にある、同期整流器。
【請求項９】
請求項７に記載の同期整流器であって、
前記補償インダクタンスが前記同期整流器に関連して設置され、この位置が前記補償インダクタンスに影響を与える、同期整流器。
【請求項１０】
請求項７に記載の同期整流器であって、
前記補償インダクタンスが、矩形、円形、正方形、三角形、調和形状、並びに不調和（incongruous）形状のうち少なくとも１つの形状により構成され、この形状が前記補償インダクタンスに影響を与える、同期整流器。
【請求項１１】
請求項７に記載の同期整流器であって、
前記補償インダクタンスが、長さ及び幅の少なくとも一方が構成されるような寸法により構成され、この寸法が前記補償インダクタンスに影響を与える、同期整流器。
【請求項１２】
請求項３に記載の同期整流器であって、
前記補償インダクタンスがドレイン・インダクタンスとソース・イダクタンスの和を含む、同期整流器。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
エーロゾル形成基体を受け取るための電気加熱式喫煙システムであって、
基体を加熱してエーロゾルを形成するための少なくとも１つの加熱器と、
前記少なくとも１つの加熱器に電力を供給するための電源と、
を含み、
前記少なくとも１つの加熱器は、電気絶縁基体上に複数の導電トラックを含み、前記電気絶縁基体は、剛体であり、かつエーロゾル形成基体内に挿入されるように配置され、前記導電トラックは、該導電トラックが抵抗加熱器及び温度センサとして両方の作用をすることができるような抵抗温度係数特性を有する、
ことを特徴とするシステム。
【請求項２】
前記電源は、前記導電トラックによって感知された前記温度及び望ましい温度に基づいて前記少なくとも１つの加熱器に電力を供給することを特徴とする請求項１に記載の電気加熱式喫煙システム。
【請求項３】
前記望ましい温度は、前記加熱器が前記エーロゾル形成基体を加熱するが燃やさない温度であることを特徴とする請求項２に記載の電気加熱式喫煙システム。
【請求項４】
前記少なくとも１つの加熱器を絶縁するための熱絶縁材料を更に含むことを特徴とする請求項１から請求項３のいずれか１項に記載の電気加熱式喫煙システム。
【請求項５】
エーロゾル形成基体を受け取るための電気加熱式喫煙システムであって、
基体を加熱してエーロゾルを形成するために電気絶縁基体上に複数の導電トラックを含む少なくとも１つの加熱器であって、前記電気絶縁基体は、剛体であり、かつエーロゾル形成基体内に挿入されるように配置される、前記加熱器と、
前記少なくとも１つの加熱器に電力を供給するための電源と、
前記少なくとも１つの加熱器を絶縁するための熱絶縁材料と、
を含むことを特徴とするシステム。
【請求項６】
前記導電トラックは、該導電トラックが抵抗加熱器としてかつ温度センサとして作用することができるような抵抗温度係数特性を有することを特徴とする請求項５に記載の電気加熱式喫煙システム。
【請求項７】
前記導電トラックは、各部分が前記電源に別々に接続可能である複数の部分を含むことを特徴とする請求項１から請求項６のいずれか１項に記載の電気加熱式喫煙システム。
【請求項８】
前記少なくとも１つの加熱器は、前記エーロゾル形成基体の端部を加熱するために電気絶縁基体上に１つ又はそれよりも多くの導電トラックを含む端部加熱器を含むことを特徴とする請求項１から請求項７のいずれか１項に記載の電気加熱式喫煙システム。
【請求項９】
前記導電トラックが、銀、プラチナ、銅、ニッケル、及びパラジウムのうちの１つ又はそれよりも多くを含み、
前記導電トラックが、金、ニッケル、及びガラスのうちの１つ又はそれよりも多くを用いてメッキされ、
電気絶縁基体が、紙、ガラス、セラミック、陽極酸化金属、被覆金属、及びポリイミドのうちの１つ又はそれよりも多くを含む、
ことのうちの少なくとも１つであることを特徴とする請求項１から請求項８のいずれか１項に記載の電気加熱式喫煙システム。
【請求項１０】
電気加熱式喫煙システムに使用するための加熱器であって、
電気絶縁基体上に複数の導電トラックを含み、
前記電気絶縁基体は、剛体であり、かつエーロゾル形成基体内に挿入されるように配置され、
前記導電トラックは、該導電トラックが抵抗加熱器及び温度センサの両方として作用することができるような抵抗温度係数特性を有する、
ことを特徴とする加熱器。
【請求項１１】
電気加熱式喫煙システムにおける加熱器の使用であって、
加熱器が、電気絶縁基体上に複数の導電トラックを含み、前記電気絶縁基体は、剛体であり、かつエーロゾル形成基体内に挿入されるように配置され、前記導電トラックは、該導電トラックが抵抗加熱器及び温度センサの両方として作用することができるような抵抗温度係数特性を有する、
ことを特徴とする加熱器の使用。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
抗フラクタルカイン抗体またはそのフラクタルカイン結合断片であって、
（ａ）配列番号２８のアミノ酸配列を含むＣＤＲ−Ｈ１；
（ｂ）配列番号２９のアミノ酸配列を含むＣＤＲ−Ｈ２；
（ｃ）配列番号３０のアミノ酸配列を含むＣＤＲ−Ｈ３；
（ｄ）配列番号３１のアミノ酸配列を含むＣＤＲ−Ｌ１；
（ｅ）配列番号３２のアミノ酸配列を含むＣＤＲ−Ｌ２；および
（ｆ）配列番号３３のアミノ酸配列を含むＣＤＲ−Ｌ３
を含む、前記抗体またはその断片。
【請求項２】
抗体が完全な抗体である、請求項１に記載の抗体。
【請求項３】
抗体またはフラクタルカイン結合断片がヒト化されている、請求項１または２に記載の抗体またはそのフラクタルカイン結合断片。
【請求項４】
抗体が重鎖および軽鎖を含み、前記抗体またはフラクタルカイン結合断片の重鎖可変領域が、配列番号３６、配列番号３７、配列番号３９、配列番号４２、または配列番号４３のアミノ酸配列を含み、かつ前記抗体またはフラクタルカイン結合断片の軽鎖可変領域が、配列番号３８、配列番号４４、または配列番号４５のアミノ酸配列を含む、請求項３に記載の抗体またはそのフラクタルカイン結合断片。
【請求項５】
抗体またはフラクタルカイン結合断片がキメラである、請求項１〜４のいずれか一項に記載の抗体またはそのフラクタルカイン結合断片。
【請求項６】
抗体が重鎖および軽鎖を含み、前記抗体の重鎖可変領域が配列番号２６のアミノ酸配列を含み、かつ前記抗体の軽鎖可変領域が配列番号２７のアミノ酸配列を含む、請求項５に記載の抗体またはそのフラクタルカイン結合断片。
【請求項７】
ヒト定常領域を含む、請求項１〜６のいずれか一項に記載の抗体またはそのフラクタルカイン結合断片。
【請求項８】
ＩｇＧアイソタイプの定常領域を含む、請求項７に記載の抗体またはそのフラクタルカ
イン結合断片。
【請求項９】
ＩｇＧ２アイソタイプの定常領域を含む、請求項８に記載の抗体またはそのフラクタルカイン結合断片。
【請求項１０】
前記抗体がＡＤＣＣおよび／または補体活性化を減少させる変異Ｆｃ領域を含む、請求項１〜９のいずれか一項に記載の抗体またはそのフラクタルカイン結合断片。
【請求項１１】
Ｆｃ領域がＶ２３４、Ｇ２３７、Ｃ１３１、またはＣ２１９の１以上において変異している、請求項１０に記載の抗体またはそのフラクタルカイン結合断片。
【請求項１２】
フラクタルカイン結合断片がＦａｂ、Ｆａｂ’、Ｆ（ａｂ’）２、およびＦｖからなる群より選択され、かつ該フラクタルカイン結合断片がフラクタルカインに対する結合特異性を保持する、請求項１または３〜９のいずれか一項に記載の抗体またはそのフラクタルカイン結合断片。
【請求項１３】
抗体がフラクタルカインとＣＸ３ＣＲ１との結合を阻害する、請求項１〜１２のいずれか一項に記載の抗体またはそのフラクタルカイン結合断片。
【請求項１４】
請求項１〜１３のいずれか一項に記載の抗体またはそのフラクタルカイン結合断片を含む医薬組成物。
【請求項１５】
組成物が担体をさらに含む、請求項１４に記載の医薬組成物。
【請求項１６】
組成物が追加の治療薬をさらに含む、請求項１４または１５に記載の医薬組成物。
【請求項１７】
請求項１〜１３のいずれか一項に記載の抗体またはそのフラクタルカイン結合断片をコードする核酸。
【請求項１８】
前記核酸が、前記抗体またはそのフラクタルカイン結合断片の重鎖の全部もしくは一部をコードする、請求項１７に記載の核酸。
【請求項１９】
前記核酸が、前記抗体またはそのフラクタルカイン結合断片の軽鎖の全部もしくは一部をコードする、請求項１７または１８に記載の核酸。
【請求項２０】
請求項１７〜１９のいずれか一項に記載の核酸を含むベクター。
【請求項２１】
ベクターが発現ベクターである、請求項２０に記載のベクター。
【請求項２２】
請求項２０または２１に記載のベクターを１以上含む宿主細胞。
【請求項２３】
前記宿主細胞が第１および第２のベクターを含み、前記第１のベクターが請求項１〜１３のいずれか一項に記載の抗体またはそのフラクタルカイン結合断片の重鎖をコードする核酸を含み、第２のベクターが請求項１〜１３のいずれか一項に記載の抗体またはそのフラクタルカイン結合断片の軽鎖をコードする核酸を含む、請求項２２に記載の宿主細胞。
【請求項２４】
前記宿主細胞における前記重鎖および軽鎖の発現によって、請求項１〜１３のいずれか一項に記載の抗体またはそのフラクタルカイン結合断片が産生される、請求項２３に記載の宿主細胞。
【請求項２５】
宿主細胞が原核生物である、請求項２２〜２４のいずれか一項に記載の宿主細胞。
【請求項２６】
宿主細胞が真核生物である、請求項２２〜２４のいずれか一項に記載の宿主細胞。
【請求項２７】
宿主細胞が哺乳類である、請求項２６に記載の宿主細胞。
【請求項２８】
細胞がＣＨＯ細胞またはＮＳ０細胞である、請求項２７に記載の宿主細胞。
【請求項２９】
抗フラクタルカイン抗体またはそのフラクタルカイン結合断片を作製するための方法であって、（ａ）請求項２０または２１に記載のベクターを適切な宿主細胞内で発現させること、および（ｂ）抗体またはそのフラクタルカイン結合断片を回収することを含む、前記方法。
【請求項３０】
前記抗体またはそのフラクタルカイン結合断片が前記宿主細胞によって培養液中に分泌される、請求項２９に記載の方法。
【請求項３１】
前記抗体またはそのフラクタルカイン結合断片が、前記抗体を含む培養液に対して少なくとも９５％またはそれ以上の純度まで精製される、請求項３０に記載の方法。
【請求項３２】
抗体またはその断片が、配列番号３７のアミノ酸配列を含む重鎖および配列番号４４のアミノ酸配列を含む軽鎖を含む、抗フラクタルカイン抗体またはそのフラクタルカイン結合断片。
【請求項３３】
請求項１〜１３及び３２のいずれか一項に記載の抗体またはそのフラクタルカイン結合断片を含む、潰瘍性大腸炎、クローン病、または関節リウマチである炎症性疾患の治療剤。
【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
二酸化炭素吸収酸化的分解性食品の輸送および／または保存に有用な包装モジュールであって、前記包装モジュールは、
ａ）圧力が安定した密閉トートであって、前記トートは、限定された酸素透過性およびガス上部空間を有する、トートと、
ｂ）二酸化炭素吸収酸化的分解性食品と、
ｃ）水素と酸素とを水に変換することが可能な燃料電池と、
ｄ）水素源と
を備え、
ｅ）さらに、初期ガス上部空間は、前記トートの少なくとも３０容量パーセントを占め、前記初期ガス上部空間内のガスは、酸素以外の少なくとも９９容量パーセントのガスを含み、前記トートの前記初期ガス上部空間の約２０％以下は、水平方向におけるものであり、前記初期ガス上部空間の残りは、鉛直方向におけるものである、
包装モジュール。
【請求項２】
前記包装モジュールは、輸送または保存中に前記包装モジュール内で陽圧を維持するためのガス源を含まない、請求項１に記載の包装モジュール。
【請求項３】
二酸化炭素吸収酸化的分解性食品の輸送および／または保存の方法であって、前記方法は、
ａ）二酸化炭素吸収酸化的分解性食品を含む包装モジュール内で低減酸素環境を生成するために、前記包装モジュールの中の酸素を除去することであって、前記包装モジュールは、圧力が安定した密閉可能なトートを備え、前記トートは、限定された酸素透過性およびガス上部空間を有し、前記トートは、燃料電池と、水素源とを備える、ことと、
ｂ）初期ガス上部空間が、前記トートの少なくとも３０容量パーセントを占め、前記初期ガス上部空間内のガスが、酸素以外の少なくとも９９容量パーセントのガスを含むように不活性ガスで前記トートを洗浄することであって、前記トートの前記初期ガス上部空間の約２０％以下は、水平方向におけるものであり、前記初期ガス上部空間の残りは、鉛直方向におけるものである、ことと、
ｃ）前記トートを密閉することと、
ｄ）前記トート内の前記低減酸素環境を維持するために、酸素が前記トート内に存在する水素によって水に変換されるように、輸送または保存中に前記燃料電池を動作させることと、
ｅ）前記トートの中で物質を輸送または保存することと
を含む、方法。
【請求項４】
前記輸送または保存することは、５日から５０日の間の期間にわたる、請求項３に記載の方法。
【請求項５】
前記包装モジュールは、前記トートの内部で水素源を維持するために好適な保持要素をさらに備え、前記保持要素は、前記水素源および前記燃料電池を保持するように構成された箱である、請求項１に記載の包装モジュールまたは請求項３に記載の方法。
【請求項６】
前記低減酸素環境は、二酸化炭素を含む、請求項３に記載の方法。
【請求項７】
二酸化炭素吸収酸化的分解性食品を輸送および／または保存する方法であって、前記方法は、
ａ）圧力が安定した密閉トートを取得することであって、前記トートは、限定された酸素透過性と、二酸化炭素吸収酸化的分解性物質を含む画定された上部空間を有し、初期上部空間は、前記トートの少なくとも３０容量パーセントを占め、前記上部空間内のガスは、酸素以外の少なくとも９９容量パーセントのガスを含み、前記トートの前記初期上部空間の約２０％以下は、水平方向におけるものであり、前記初期上部空間の残りは、鉛直方向におけるものであり、さらに、前記トートが、燃料電池と水素源とを備えるモジュールに接続されることにより、前記燃料電池のアノードは、前記トートの環境と直接連通する、ことと、
ｂ）前記トート内の酸素が前記燃料電池によって水に変換されるように、輸送または保存中に前記燃料電池を動作させることと、
ｃ）前記トートの中で物質を輸送または保存することと
を含む、方法。
【請求項８】
初期ガス上部空間のガスは、少なくとも約９０％の二酸化炭素を含み、前記初期ガス上部空間は、前記トートの最大６９容量パーセントである、請求項１に記載の包装モジュールまたは請求項３もしくは７に記載の方法。
【請求項９】
酸化的分解性食品を有するトートから酸素を除去する方法であって、前記方法は、
トートが、密閉可能なガス入口ポートと、密閉可能なガス出口ポートとを有することであって、両方のポートは、前記トートの上部空間の中に位置付けられている、ことと、
前記入口および出口ポートが閉塞されないような量で、酸化的分解性食品を前記トートに追加することと、
前記トートを密閉することと、
前記出口ポートを通してガスを放出しながら、前記入口ポートを通して前記トートに十分な量の低酸素ガス源を注入することによって、そのようなガス源を用いた前記トートの１回以上の初期洗浄を行うことにより、前記トート内に残っているガス上部空間内の酸素含有量を約１５００ｐｐｍより上のレベルまで増加させることなく、前記トート内の低酸素環境と、前記食品へのガスの吸収を可能にするために十分な容積のガス上部空間とを提供することと、
前記入口および出口ポートを密閉することと、
洗浄した後、前記食品へのガス吸収を補償するために十分なガス上部空間が残るように、低酸素ガス源で前記トートを随意で周期的に洗浄することであって、残っているガス上部空間内の酸素濃度は、常に１５００ｐｐｍを超えない、ことと
を含む、方法。
【請求項１０】
酸化的分解性食品の輸送および／または保存の方法であって、前記方法は、
ａ）低減酸素環境を生成するために、酸化的分解性食品を含むトートの中の酸素を除去することであって、前記トートは、密閉可能なガス入口ポートおよび密閉可能なガス出口ポートであって、両方のポートは、前記トートの上部空間の中に位置付けられている、密閉可能なガス入口ポートおよび密閉可能なガス出口ポートと、前記トートとガス連通している低酸素ガス源とを備える、ことと、
ｂ）前記トートを密閉することと、
ｃ）洗浄した後、前記食品へのガス吸収を補償するために十分なガス上部空間が残るように、低酸素ガス源で前記トートを随意で周期的に洗浄することであって、残っているガス上部空間内の酸素濃度は、常に１５００ｐｐｍを超えない、ことと、
ｄ）前記トートの中で前記食品を輸送または保存することと
を含む、方法。
【請求項１１】
前記トートは、折り畳む場合、または拡張する場合にパンクしない可撓性、折り畳み式、または拡張型の物質を備える、請求項１に記載の包装モジュール、または、請求項３、７、９、もしくは１０に記載の方法。
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
第１の通信経路の第１の性能レベルの指示を含む第１のエンティティからの第１の提出物を受信するように構成された経路分割コンポーネントであって、前記第１の通信経路の一部である第１の部分的な経路セグメントを決定し、前記第１の部分的な経路セグメントに対応する第１の部分的な性能レベルを決定するようにさらに構成される、経路分割コンポーネントと、
前記経路分割コンポーネントと通信し、前記第１の部分的な経路セグメントの第１の決定された性能レベルに少なくとも部分的に基づいて第２の部分的な経路セグメントの第２の性能レベルを決定し、前記第２の部分的な経路セグメントの決定された第２の性能レベルの指示を出力するように構成される、パスアセンブリーコンポーネントであって、前記第２の部分的な経路セグメントは、前記第１の通信経路から部分的に切り離され、前記第１の通信経路と部分的に重複する、パスアセンブリーコンポーネントと
を備えるコンピューター。
【請求項２】
前記コンピューターは、サーバー、ルーター、企業ネットワークの一部、又はＩＳＰ（インターネットサービスプロバイダー）の一部のうちの１つである請求項１に記載のコンピューター。
【請求項３】
前記第２の部分的な経路セグメントの前記決定された第２の性能レベルの指示は、複数の部分的な経路セグメントの複数の決定された性能レベルについての入力を含む行列の一部である請求項１に記載のコンピューター。
【請求項４】
前記パスアセンブリーコンポーネントによって決定される複数の部分的な経路セグメントに対応する複数の性能レベルから、ユーザーにより選択された入力の組み合わせを含む通信についての選択された性能レベルに関して最適である通信経路を決定するように構成されたクエリーコンポーネントをさらに備え、前記クエリーコンポーネントは前記最適な経路を出力するようにさらに構成される、請求項１に記載のコンピューター。
【請求項５】
前記第２の部分的な経路セグメントの前記第２の性能レベルは、最小平均二乗誤差（ＭＭＳＥ）推定、ｌ０ノルムによる第１のさらなるペナルティを備えたＭＭＳＥ推定、ｌ１ノルムによる第２のさらなるペナルティを備えたＭＭＳＥ推定、最大尤度推定、又は最大事後推定、の数学的方法のうちの少なくとも１つによって決定される請求項１に記載のコンピューター。
【請求項６】
前記コンピューターによりホストされる第１のエンティティと、
前記第１のエンティティ及び複数の通信経路と通信するインターフェースと、
前記通信経路を介した前記第１のエンティティと１つ又は複数の他のエンティティとの間の通信を監視するように構成された性能監視コンポーネントであって、第１の通信経路を介した前記第１のエンティティと第１の他のエンティティとの間の第１の通信の第１の性能レベルの指標を含む第１の提出物を作成し、前記第１の提出物をＱＯＳ（サービス品質）サービス装置へ送信するようにさらに構成される、性能監視コンポーネントと、
前記ＱＯＳサービス装置と通信し、前記第１のエンティティと第２の他のエンティティとの間の第２の通信経路の第２の性能レベルであって、前記第１の提出物に部分的に基づいて前記ＱＯＳサービス装置により決定される、第２の性能レベルに関して、前記ＱＯＳサービス装置に問い合わせるように構成されたクエリーコンポーネントであって、前記第１の通信経路は前記第２の通信経路から部分的に切り離され且つ前記第２の通信経路と部分的に重なり、前記ＱＯＳサービス装置から前記第２の通信経路の前記第２の性能レベルの指示を受信するようにさらに構成される、クエリーコンポーネントと
を備えるコンピューター。
【請求項７】
前記クエリーコンポーネントは、前記第１の通信経路の前記第１の性能レベルに少なくとも部分的に基づいて、前記第１のエンティティの音声デコーダーのデジッタバッファーを調整するようにさらに構成される請求項６に記載のコンピューター。
【請求項８】
前記クエリーコンポーネントは、前記第１の通信経路の前記第１の性能レベルに少なくとも部分的に基づいて、前記第１のエンティティの前方誤り訂正コンポーネントの冗長性の数を調整するようにさらに構成される請求項６に記載のコンピューター。
【請求項９】
前記クエリーコンポーネントは、前記第２の通信経路の前記第２の性能レベルの指標を表示するようにさらに構成される請求項６に記載のコンピューター。
【請求項１０】
前記クエリーコンポーネントは、複数の通信経路の複数の性能レベルに関して前記ＱＯＳサービス装置に問い合わせ、前記複数の通信経路のうち前記第１のエンティティの通信にとって最適な性能レベルを備える通信経路を選択するようにさらに構成される請求項６に記載のコンピューター。
【請求項１１】
前記第１のエンティティの通信のための、前記他の通信経路よりも前記第１の通信経路との重なりが小さい、一時的な通信経路及び二次的な通信経路を選択するように構成されたＱＯＳ管理コンポーネントであって、前記選択は複数の通信経路に対応する複数の決定された性能レベルに基づき、前記第１のエンティティの通信を前記第１の通信経路へ向け、しきい値を下回る前記一次的な通信経路のＱＯＳ性能レベルに応答して前記第１のエンティティの通信を前記二次的な通信経路へ向け直すようにさらに構成される、ＱＯＳ管理コンポーネントをさらに備える請求項６に記載のコンピューターシステム。
【請求項１２】
前記第１の通信経路のＱＯＳ性能レベルに少なくとも部分的に基づいて前記第１のエンティティの通信コンポーネントを調整するように構成されるＱＯＳ（サービス品質）管理コンポーネントをさらに備える請求項６に記載のコンピューターシステム。
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
少なくとも１つの人工的に導入されたシステインを含む修飾オレオシンをコードするポリヌクレオチド。
【請求項２】
ポリヌクレオチドが、目的タンパク質に融合された修飾オレオシンを含む融合タンパク質をコードする請求項１のポリヌクレオチド。
【請求項３】
請求項１又は２のポリヌクレオチドを含む、遺伝子構築物、発現構築物、植物細胞又は植物。
【請求項４】
更に、トリアシルグリセロール（ＴＡＧ）合成酵素を発現するように遺伝子操作される請求項３の宿主細胞、植物細胞又は植物。
【請求項５】
ａ）請求項１のポリヌクレオチドによってコードされるか、
ｂ）少なくとも１つの人工的に導入されたシステインを含むか、又は
ｃ）請求項１のポリヌクレオチドによってコードされ、少なくとも１つの人工的に導入されたシステインを含む、修飾オレオシン。
【請求項６】
請求項５の修飾オレオシンと目的タンパク質を含む融合タンパク質。
【請求項７】
ｉ）請求項５の修飾オレオシン、又は
ｉｉ）請求項６の融合タンパク、の少なくとも１つを含む油体、エマルション、組成物、又はキャリアを含む組成物。
【請求項８】
請求項７の油体を含む、エマルション、組成物、キャリアを含む組成物、植物又はその一部、植物の成長組織、、植物の種子、動物飼料、あるいは植物又はその組織を含む動物飼料。
【請求項９】
油体を作出する方法であって、前記方法が、
ａ）請求項５の修飾オレオシンを少なくとも２つと、
ｂ）トリアシルグリセロールと
ｃ）リン脂質と
を組み合わせる工程を含む方法。
【請求項１０】
ａ）、ｂ）及びｃ）の成分が、
ｉ）宿主細胞内、
ｉｉ）請求項５の修飾オレオシンを発現する宿主細胞内、
ｉｉｉ）更に、トリアシルグリセロール（ＴＡＧ）合成酵素を発現するように遺伝子操作されている宿主細胞内、
ｉｖ）生物の一部を形成するｉ）〜ｉｉｉ）のいずれか１つの宿主細胞内、
ｖ）植物の一部を形成するｉ）〜ｉｉｉ）のいずれか１つの宿主細胞内、
ｖｉ）好適な対照植物より約５０％〜約４００％多い脂質を蓄積する植物の一部を形成するｉ）〜ｉｉｉ）のいずれか１つの宿主細胞内、
の少なくとも１つで混ぜ合わせられ、
任意に、前記細胞又は生物から油体を精製する追加の工程を含む、請求項９の方法。
【請求項１１】
好適な対照植物よりも多い油を蓄積する植物を作出する方法であって、請求項１のポリヌクレオチドで形質転換された植物を提供することを含み、
前記植物が前記ポリヌクレオチドによってコードされる修飾オレオシンを発現する、方法。
【請求項１２】
前記植物が、更に、ＴＡＧ合成酵素をコードするポリヌクレオチドで形質転換され、ＴＡＧ合成酵素を発現してＴＡＧを合成する請求項１１の方法。
【請求項１３】
前記植物が、好適な対照植物よりも約５０％〜約４００％多い脂質を蓄積する請求項１１又は１２の方法。
【請求項１４】
前記植物が、
ｉ）動物飼料と、
ｉｉ）バイオ燃料供給原料とに加工される請求項１１〜１３のいずれか１項の方法。
【請求項１５】
宿主細胞にて油体を産生する方法であって、
ａ）請求項１の少なくとも１つのポリヌクレオチドとＴＡＧ合成酵素をコードする核酸分子を宿主細胞に導入することと、
ｂ）修飾オレオシンとＴＡＧ合成酵素を発現させるために前記宿主細胞を培養することを含み、
任意に、
ｉ）前記宿主細胞を油分画に加工し、そして
ｉｉ）前記油を、
Ａ）燃料、
Ｂ）オレオケミカル、
Ｃ）栄養用の油、
Ｄ）化粧用の油、
Ｅ）ポリ不飽和脂肪酸（ＰＵＦＡ）、又は
Ｆ）Ａ）〜Ｅ）の組み合わせ、
の少なくとも１つに加工する追加の工程を含む方法。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
試料中の標的核酸を検出するアッセイを実施するためのデバイスであり、当該デバイスが
（ia）内部で前記標的核酸の核酸増幅反応が達成され得る第一のウェル；
（ib）第一のウェルの受取り手段；
（ii）前記第一のウェル又は前記受取り手段から伸びる第一のチャンネル；
（iii）側方流動アッセイデバイス；及び
（iv）希釈剤を充填するのに適し、前記第一のウェルと、若しくは前記第一のウェルの受取り手段と、第二のチャンネルにより接続した希釈ウェル；ここで、前記第一のウェルは、存在する場合、その体積は、前記希釈ウェルの体積よりも小さく；前記側方流動アッセイデバイスは、前記第一のチャンネルから吸水性の膜により試料を受け取るように配置され、ここで当該膜は、前記標的核酸を検出出来る要素を有する；かつ
前記希釈ウェル中に存在する場合、当該希釈剤が、存在する場合、第一のウェルに移動するように、前記第二のチャンネルが配置されている、前記デバイス。
【請求項２】
前記第一のウェルの体積が15〜50μlであり、前記希釈ウェルの体積が50〜250μlである、請求項１に記載のデバイス。
【請求項３】
前記希釈ウェルが、希釈剤を含有する密封された容器と、当該容器が圧迫されたとき、当該容器を開放するように配置された穿孔手段とを備える、請求項１又は２のいずれか1項に記載のデバイス。
【請求項４】
更に
（iia）前記第一のチャンネルにより前記第一のウェルと接続された第二のウェルを備え、当該第一のチャンネルが、前記第一のウェルの液体内容物を第二のウェルに移動させるように配置され、そして前記側方流動アッセイデバイスが、前記第二のウェルから前記吸水性の膜により液体内容物を受け取るように配置されている、請求項１〜３のいずれか1項に記載のデバイス。
【請求項５】
内部で前記標的核酸の核酸増幅反応が達成され得る第一のウェルのための受取り手段を備え、更に、当該受取り手段と係合する第一のウェルを備える、請求項１〜４のいずれか1項に記載のデバイス。
【請求項６】
前記第一のウェルに、核酸増幅反応を実施するのに適した試薬が予め充填されている、請求項１〜４のいずれか1項に記載のデバイス。
【請求項７】
前記第一のウェル、前記第二のウェル、前記チャンネル及び前記側方流動アッセイデバイスが、ハウジング内に備えられた、請求項１〜６のいずれか1項に記載のデバイス。
【請求項８】
更に、液体の試薬が予め充填され、内容物が前記第一のウェル内に送達されるようにチャンネルにより第一のウェルと接続された、密閉された第四のウェルを備える、請求項１〜７のいずれか1項に記載のデバイス。
【請求項９】
前記第二のウェルと前記側方流動アッセイデバイスの試料受取り部分との間にウィッキング要素（wicking element）が設けられ、当該要素は、当該第二のウェルから当該試料受取り部分への液体の送達を可能とする、請求項４〜８のいずれか1項に記載のデバイス。
【請求項１０】
更に、核酸抽出及び/又は精製系を備える、請求項１〜９のいずれか1項に記載のデバイス。
【請求項１１】
化学的又は生化学的反応を実施し、及びその産物を検出するデバイスであり
（i）内部の液相中で化学的又は生化学的反応が達成され得る第一のウェル；
（ii）前記第一のウェルから伸びる第一のチャンネル；
（iii）前記第一のチャンネルから液体内容物を受け取るように配置された側方流動アッセイデバイスであり、任意で、当該受取りが、第二のウェルを経由して、吸水性の膜に沿って行われ、当該膜が、前記化学的又は生化学的反応の産物を検出出来る、前記側方流動アッセイデバイス；及び
（iv）希釈剤を含み、第二のチャンネルにより前記第一のウェルと接続するように配置された第三のウェルであり、当該第二のチャンネルが当該第三のウェルから希釈剤が当該第一のウェルに移動するように配置されており、そして当該第二及び第三のウェルの体積が当該第一のウェルよりも顕著に大きい、前記第三のウェル；
を備える、前記デバイス。
【請求項１２】
試料中の核酸を検出するアッセイを実施するための方法であり、当該方法が、
請求項１〜１１のいずれか1項に記載のデバイスに試料を加える工程、
当該デバイスを受け取る手段及び内部で化学的又は生化学的反応が実施されるように前記第一のウェルを調整可能に加熱出来るように配置される加熱手段を備える装置に当該デバイスをセットする工程、
当該装置に核酸の増幅及び検出反応を実施させる工程及び
側方流動デバイスから結果を読み取る工程
を含む、前記方法。
【請求項１３】
前記核酸の増幅を実施するのに必要な試薬が、前記第一のウェル中に予め充填されており、適切には当該試薬が乾燥形態をとる、請求項１２に記載の方法。
【請求項１４】
化学的又は生化学的反応を実施し、及び側方流動アッセイデバイスの膜上でその産物を検出する方法であり
請求項１１に記載のデバイスの第一のウェルに試料を加える工程、
当該ウェルを前記化学的又は生化学的反応が起こる条件下に置く工程、その後
前記デバイスの第三のウェル中に存在する希釈剤を当該第一のウェルに移動させることにより、当該内容物を第一のチャンネルに沿って第二のウェルに流し、そしてその後前記側方流体アッセイデバイスの膜に通す工程、そしてその後
得られた結果を読み取る工程
を含む、前記方法。
【請求項１５】
前記希釈剤が密閉された容器内に含まれ、使用前に前記第三のウェルに注入される、請求項１４に記載の方法。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
配列番号１、配列番号２、配列番号３、配列番号４、配列番号５、配列番号６、配列番号７、配列番号８、これらの配列のいずれかに対して９５％の同一性を有する配列、およびこれらの機能性断片からなる群から選択される配列を含む、心臓特異的遺伝子発現を増強するための６００ヌクレオチド以下の核酸調節因子。
【請求項２】
配列番号１、これに対して９５％の同一性を有する配列、またはこれらの機能性断片を含む、請求項１に記載の核酸調節因子。
【請求項３】
請求項１に記載の調節因子またはこの相補体にストリンジェントな条件下でハイブリダイズする、６００ヌクレオチド以下の核酸調節因子。
【請求項４】
２５０ヌクレオチド以下である、請求項１〜３のいずれか一項に記載の核酸調節断片。
【請求項５】
プロモーターおよび導入遺伝子に機能的に連結された、請求項１〜４のいずれか一項に記載の核酸調節因子を含む、核酸発現カセット。
【請求項６】
請求項１〜４のいずれか一項に記載の２つ以上の核酸調節因子を含む、請求項５に記載の核酸発現カセット。
【請求項７】
２つ以上の調節因子が同一である、請求項６に記載の核酸発現カセット。
【請求項８】
プロモーターが心臓特異的プロモーターである、請求項５〜７のいずれか一項に記載の核酸発現カセット。
【請求項９】
プロモーターがミオシン重鎖遺伝子、特にミオシン重鎖α（αＭＨＣ）遺伝子由来である、請求項８に記載の核酸発現カセット。
【請求項１０】
βグロビンイントロンをさらに含む、請求項５〜９のいずれか一項に記載の核酸発現カセット。
【請求項１１】
導入遺伝子が、ＶＥＧＦまたはＰｌＧＦなどの血管形成因子、ＳＥＲＣＡ２ａなどのＡＴＰアーゼ、イオンチャネル、サイトカインおよび成長因子からなる群から選択される治療用タンパク質をコードする、請求項５〜１０のいずれか一項に記載の核酸発現カセット。
【請求項１２】
請求項１〜４のいずれか一項に記載の調節因子を含む、ベクター。
【請求項１３】
請求項５〜１１のいずれか一項に記載の核酸発現カセットを含む、請求項１２に記載のベクター。
【請求項１４】
ウイルスベクター、特にレンチウイルスベクターまたはＡＡＶベクターである、請求項１２または１３に記載のベクター。
【請求項１５】
ＡＡＶ９ベクターまたはＡＡＶ２／９ベクターである、請求項１４に記載のベクター。
【請求項１６】
遺伝子治療における、請求項１〜３のいずれか一項に記載の核酸調節因子の使用。
【請求項１７】
請求項５〜１１のいずれか一項に記載の核酸発現カセットを心臓細胞内に導入する段階；
導入遺伝子タンパク質産物を心臓細胞内で発現させる段階
を含む、心臓細胞においてタンパク質を発現させるためのインビトロ方法。
【請求項１８】
請求項１１に記載の核酸発現カセット、または請求項１１に記載の核酸発現カセットを含むベクターを被験体の心臓内に導入する段階；
治療量のタンパク質を心臓内で発現させる段階
を含む、遺伝子治療を必要とするヒト以外の被験体に対する遺伝子治療の方法。
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
実質的に整列した繊維があり、少なくとも１つの無グルテンタンパク質材料および結合剤を含んでなる、構造化タンパク質製品。
【請求項２】
前記タンパク質材料が、ダイズタンパク質またはその他のテクスチャライズできるタンパク質である、請求項１に記載の製品。
【請求項３】
前記ダイズタンパク質が、ダイズ単離物、ダイズタンパク質濃縮物、ダイズ粉、およびそれらの組み合わせからなる群から選択される、請求項２に記載の製品。
【請求項４】
前記少なくとも１つの無グルテンタンパク質材料および結合剤が、単一源成分である、請求項１に記載の製品。
【請求項５】
前記結合剤が、多糖類、単糖類、二糖類、およびそれらの組み合わせからなる群から選択される、請求項１に記載の製品。
【請求項６】
前記結合剤が、デンプン、デンプン代替品、およびそれらの組み合わせからなる群から選択される、請求項５に記載の製品。
【請求項７】
前記タンパク質材料が７５％〜１００％に及ぶ量で存在し、前記結合剤が０％〜２５％に及ぶ量で存在する、請求項１に記載の製品。
【請求項８】
前記構造化タンパク質製品が、少なくとも１４００グラムの平均剪断強さと、少なくとも１７％の平均細断特性解析を有する、請求項１〜７のいずれか１項記載の製品。
【請求項９】
遊離アミノ酸をさらに含有する請求項１〜８のいずれか１項記載の製品。
【請求項１０】
ｐＨ調節剤をさらに含有する請求項１〜９のいずれか１項記載の製品。
【請求項１１】
請求項１〜１０のいずれか１項記載のタンパク質製品を含んでなる、再構成製品。
【請求項１２】
少なくとも１つの無グルテンタンパク質材料と結合剤をダイアセンブリーを通じて押し出し、実質的に整列したタンパク質繊維を有する構造化タンパク質製品を形成するステップを含んでなる、構造化タンパク質製品を製造する方法。
【手続補正２】
【補正対象書類名】明細書
【補正対象項目名】０１６７
【補正方法】変更
【補正の内容】
【０１６７】
例示的実施態様との関連で本発明を説明したが、説明を読めば、当業者にはその様々な修正が明白であることを理解すべきである。したがって本明細書で開示される本発明は、添付の特許請求の範囲内の修正を包含することが意図されることを理解すべきである。
次に、本発明の態様を示す。
1.  実質的に整列した繊維があり、少なくとも１つの無グルテンタンパク質材料および結合剤を含んでなる、構造化タンパク質製品。
2.  前記タンパク質材料が、ダイズタンパク質またはその他のテクスチャライズできるタンパク質である、上記１に記載の製品。
3.  前記ダイズタンパク質が、ダイズ単離物、ダイズタンパク質濃縮物、ダイズ粉、およびそれらの組み合わせからなる群から選択される、上記２に記載の製品。
4.  前記少なくとも１つの無グルテンタンパク質材料および結合剤が、単一源成分である、上記１に記載の製品。
5.  前記結合剤が、多糖類、単糖類、二糖類、およびそれらの組み合わせからなる群から選択される、上記１に記載の製品。
6.  前記結合剤が、デンプン、デンプン代替品、およびそれらの組み合わせからなる群から選択される、上記５に記載の製品。
7.  前記タンパク質材料が７５％〜１００％に及ぶ量で存在し、前記結合剤が０％〜２５％に及ぶ量で存在する、上記１に記載の製品。
8.  前記結合剤が、タンパク質、脂質、およびそれらの組み合わせからなる群から選択される、上記１に記載の製品。
9.  前記構造化タンパク質製品が、少なくとも１４００グラムの平均剪断強さと、少なくとも１７％の平均細断特性解析を有する、上記１に記載の製品。
10.  前記構造化タンパク質製品が、少なくとも２０００グラムの平均剪断強さと、少なくとも１７％の平均細断特性解析を有する、上記１に記載の製品。
11.  前記構造化タンパク質製品が、少なくとも２６００グラム平均剪断強さと、少なくとも１７％の平均細断特性解析を有する、上記１に記載の製品。
12.  前記構造化タンパク質製品が、図１ｂの顕微鏡写真に描写される様式で実質的に整列したタンパク質繊維を含んでなる、上記１に記載の製品。
13.  着色組成物をさらに含んでなる、上記１に記載の製品。
14.  前記着色組成物が、ビーツ、アナットー、カラメル色素、およびアミノ酸源を含んでなる、上記１３に記載の製品。
15.  抗酸化剤、水、香辛料、および香味料をさらに含んでなる、上記１に記載の製品。
16.  上記１のタンパク質製品を含んでなる、再構成製品。
17.  前記再構成製品が肉を含んでなる、上記１６に記載の再構成製品。
18.  前記再構成性製品が肉無しである、上記１６に記載の再構成製品。
19.  少なくとも１つの無グルテンタンパク質材料と結合剤をダイアセンブリーを通じて押し出し、実質的に整列したタンパク質繊維を有する構造化タンパク質製品を形成するステップを含んでなる、構造化タンパク質製品を製造する方法。
20.  前記構造化タンパク質製品が、少なくとも１４００グラムの平均剪断強さと、少なくとも１７％の平均細断特性解析を有する、上記１９に記載の方法。
21.  前記構造化タンパク質製品が少なくとも２０００グラムの平均剪断強さと、少なくとも１７％の平均細断特性解析を有する、上記１９に記載の方法。
22.  前記構造化タンパク質製品が少なくとも２６００グラムの平均剪断強さと、少なくとも１７％の平均細断特性解析を有する、上記１９に記載の方法。
23.  前記構造化タンパク質製品が、図１ｂの顕微鏡写真に描写する様式で実質的に整列したタンパク質繊維を含んでなる、上記１９に記載の方法。
24.  前記タンパク質材料が乾燥物質ベースで約４０％〜約９０％のタンパク質を有する、上記１９に記載の方法。
【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
以下の工程を含む、患者由来の生物学的試料中のGNA11依存性メラニン形成細胞性新生物細胞を検出する方法：
メラニン形成細胞を含む該生物学的試料中のGNA11遺伝子における活性化変異の存在または非存在を検出する工程であって、それにより、活性化変異が存在する場合に、該生物学的試料中のGNA11依存性メラニン形成細胞性新生物細胞の存在を検出する、工程。
【請求項２】
メラニン形成細胞性新生物細胞がブドウ膜黒色腫細胞または青色母斑細胞である、請求項1記載の方法。
【請求項３】
検出する工程が、生物学的試料由来の核酸試料中の変異の存在または非存在を検出することを含む、請求項1または2記載の方法。
【請求項４】
検出する工程が増幅反応を含む、請求項3記載の方法。
【請求項５】
GNA11遺伝子の変異領域の配列を決定する工程を含む、請求項3または4記載の方法。
【請求項６】
検出する工程が、GNA11遺伝子に選択的にハイブリダイズするプローブと核酸試料とを接触させることと、ハイブリダイズしたプローブの存在を検出し、それにより、配列変異を検出することとを含む、請求項3または4記載の方法。
【請求項７】
検出する工程が、前記遺伝子によりコードされるタンパク質における変異を検出することを含む、請求項1または請求項2記載の方法。
【請求項８】
生物学的試料が、黒色腫を有すると診断された患者に由来する、請求項1〜7のいずれか一項記載の方法。
【請求項９】
黒色腫がブドウ膜から発生したものであるか、または青色母斑から発生したものである、請求項8記載の方法。
【請求項１０】
GNAQ遺伝子における活性化変異の存在または非存在を検出する工程をさらに含む、前記請求項のいずれか一項記載の方法。
【請求項１１】
以下の工程を含む、治療に供された患者における黒色腫の進行をモニタリングする方法：
患者由来の生物学的試料中のGNA11遺伝子における活性化変異を有する黒色腫細胞の数の変化を検出する工程であって、GNA11変異を有する細胞の数の変化が、治療に対する患者の応答の指標となる、工程。
【請求項１２】
以下の工程を含む、GNA11阻害剤による処置の候補である黒色腫患者を同定する方法：
患者に存在する黒色腫に由来する生物学的試料中のGNA11遺伝子における活性化変異の存在または非存在を検出する工程であって、変異の存在が、GNA11阻害剤による処置の候補である黒色腫患者の指標となる、工程。
【請求項１３】
GNA11阻害剤を患者に投与する工程をさらに含む、請求項12記載の方法。
【請求項１４】
生物学的試料が眼もしくは皮膚に由来するか、または血液、リンパ節、肝臓、肺、副腎、もしくは骨に由来する、請求項1〜13のいずれか一項記載の方法。
【請求項１５】
以下の工程を含む、黒色腫の転移のリスクを決定する方法：
黒色腫を有する患者に由来する生物学的試料中のGNA11遺伝子における活性化変異の存在または非存在を検出する工程であって、変異の存在が、黒色腫の転移のリスクの増加の指標となる、工程。
【請求項１６】
黒色腫がブドウ膜黒色腫または悪性青色母斑である、請求項11〜15のいずれか一項記載の方法。
【請求項１７】
GNA11における活性化変異を有する黒色腫細胞とGNA11アンタゴニストとを接触させる工程を含む、GNA11における活性化変異を有する黒色腫細胞の増殖を阻害する方法。
【請求項１８】
GNA11アンタゴニストが低分子、プロテインキナーゼC阻害剤、ホスホリパーゼCβの阻害剤、抗体、またはsiRNAである、請求項17記載の方法。
【請求項１９】
黒色腫細胞がブドウ膜黒色腫に由来するものであるか、または青色母斑から発生したものである、請求項17または18記載の方法。
【請求項２０】
以下の工程を含む、母斑の黒色腫への進行のリスクを決定する方法：
母斑由来の生物学的試料中のGNA11遺伝子における活性化変異の存在または非存在を検出する工程であって、変異の存在が、母斑の黒色腫への進行のリスクの増加の指標となる、工程。
【請求項２１】
母斑が青色母斑または太田母斑である、請求項20記載の方法。
【請求項２２】
検出する工程が、GNA11核酸における変異を検出することを含む、請求項20または21記載の方法。
【請求項２３】
GNA11遺伝子における変異がGNA11のGln209をコードするコドンにある、前記請求項のいずれか一項記載の方法。
【請求項２４】
変異がQ209L置換またはQ209P置換である、請求項23記載の方法。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
発酵能を有する微生物を含有する培地をメチルスルホニルメタン(MSM)と接触させる工程であって、MSMが、該培地の重量あたり約0.5％〜約5％の濃度または該培地の含有水分の重量あたり約0.5％〜約5％の濃度で提供され、MSMが、MSMの非存在下でのアルコール、二酸化炭素、および／または酸の生産と比較して、MSMの存在下での微生物によるアルコール、二酸化炭素、および／または酸の生産を少なくとも50％増加させることによって微生物の発酵効率を増加させる、工程
を含む、微生物の発酵効率を増強する方法。
【請求項２】
発酵効率を増強する方法が、ビール、サイダー、ワイン、バイオ燃料、パン、乳製品、またはその任意の組み合わせを生産するためである、請求項1記載の方法。
【請求項３】
微生物が酵母であり、かつ発酵を増強する方法がビールを生産するためであるか、または微生物が藻類であり、かつ発酵を増強する方法がバイオ燃料を生産するためである、請求項1または2記載の方法。
【請求項４】
MSMの非存在下での二酸化炭素の生産と比較して、発酵効率の増強が、MSMの存在下での微生物による二酸化炭素の生産の少なくとも50％の増加を含み、微生物が酵母であり、かつ発酵を増強する方法が、パンを生産するためである、請求項1記載の方法。
【請求項５】
MSMの非存在下での乳酸の生産と比較して、発酵効率の増強が、MSMの存在下での微生物による乳酸の生産の少なくとも50％の増加を含み、かつ発酵を増強する方法が、乳製品を生産するためである、請求項1記載の方法。
【請求項６】
MSM濃度が約0.5％である、請求項1〜5のいずれか一項記載の方法。
【請求項７】
前記培地が、総含有水分量の5％未満の塩化ナトリウム濃度を含む、請求項1〜6のいずれか一項記載の方法。
【請求項８】
1種または複数種のプロバイオティック微生物を、1種または複数種のプロバイオティック微生物の増殖を支持することができる培地と接触させる工程;および
該培地の重量または該培地の含有水分の重量あたり約0.4％〜約5％のメチルスルホニルメタン(MSM)を該培地に提供する工程であって、それによって、インビトロでMSMの非存在下での1種または複数種の微生物の増殖と比較して、インビトロで1種または複数種の微生物の増殖を増強する、工程
を含む、1種または複数種のプロバイオティック微生物の増殖を増強するためのインビトロ方法。
【請求項９】
MSM濃度が、前記培地または前記培地の含有水分の重量の約1％〜約3％である、請求項8記載の方法。
【請求項１０】
1種または複数種のプロバイオティック微生物が、ラクトバチルス・アシドフィルス(Lactobacillus acidophilus)、ラクトバチルス・デルブリュッキ(Lactobacillus delbrueckii)、バチルス・コアグランス(Bacillus coagulans)、ラクトバチルス・ラムノサス(Lactobacillus rhamnosus)、ビフィドバクテリウム・ビフィダム(Bifidobacteruim bifidum)、またはその任意の組み合わせを含む、請求項8または9記載の方法。
【請求項１１】
前記培地が、プロバイオティック含有製品、例えば、乳、ヨーグルト、ライスヨーグルト、フローズンヨーグルト、チョコレート、チーズ、ビール、ワイン、酢、ザウアークラウト、またはその任意の組み合わせを含む、請求項8〜10のいずれか一項記載の方法。
【請求項１２】
1種または複数種の微生物を含む診断検査試料を、1種または複数種の微生物の増殖を支持することができる培地と接触させる工程;
該培地の重量または該培地の含有水分の重量あたり約0.4％〜約5％の濃度のメチルスルホニルメタン(MSM)を該培地に提供する工程であって、それによって、MSMの非存在下での1種または複数種の微生物の増殖と比較して、診断検査試料中の1種または複数種の微生物の増殖を増強する、工程
を含む、診断検査試料中の微生物の増殖を増強するための方法。
【請求項１３】
H1N1インフルエンザの汚染を受けやすい培地を選択する工程;および
該培地を、約10w/v％〜約16w/v％の濃度のメチルスルホニルメタン(MSM)と接触させる工程であって、それによって、H1N1インフルエンザの微生物活性を阻害する、工程
を含む、生体外で微生物活性を阻害する方法。
【請求項１４】
前記培地が体液、身体組織、または表面を含む、請求項13記載の方法。
【請求項１５】
前記培地を接触させる工程が、微生物汚染を受けやすい培地にMSMを噴霧する、または微生物汚染を受けやすい培地にMSMをこすりつける工程を含む、請求項13または14記載の方法。
【請求項１６】
表面が、家庭用の表面、寝具、カバー、産業用の機器もしくは表面、血液、皮膚、またはその組み合わせである、請求項15記載の方法。
【請求項１７】
MSMが組成物の中に提供され、該組成物が漂白剤を含まない、またはアルコールを含まない、または本質的に水からなる、請求項13〜16のいずれか一項記載の方法。
【請求項１８】
MSMを添加した後に、前記培地を滅菌する工程をさらに含む、請求項13〜17のいずれか一項記載の方法。
【請求項１９】
前記培地が防腐剤を含まない、請求項13〜18のいずれか一項記載の方法。
【請求項２０】
MSMが、MSMの非存在下でのH1N1インフルエンザの増殖速度と比較して、H1N1インフルエンザの増殖速度を少なくとも50％低減させることによって微生物活性を阻害する、請求項13〜19のいずれか一項記載の方法。
【請求項２１】
H1N1インフルエンザの微生物活性を阻害するための、H1N1インフルエンザの汚染を受けやすい培地への接触用の薬剤の製造における、約10w/v％〜約16w/v％の濃度のメチルスルホニルメタン(MSM)の使用。
【請求項２２】
前記培地が体液、身体組織、または身体表面を含む、請求項21記載の使用。
【請求項２３】
前記接触が、微生物汚染を受けやすい培地へのMSMの噴霧、または微生物汚染を受けやすい培地へのMSMのこすりつけを含む、請求項21または22記載の使用。
【請求項２４】
培地が、血液、皮膚、またはその組み合わせである、請求項21記載の使用。
【請求項２５】
MSMが組成物の中に提供され、該組成物が漂白剤を含まない、またはアルコールを含まない、または本質的に水からなる、請求項21〜24のいずれか一項記載の使用。
【請求項２６】
MSMが、MSMの非存在下でのH1N1インフルエンザの増殖速度と比較して、H1N1インフルエンザの増殖速度を少なくとも50％低減させることによって微生物活性を阻害する、請求項21〜25のいずれか一項記載の使用。